【手続補正書】
【提出日】平成15年7月8日(2003.7.8)
【手続補正１】
【補正対象書類名】明細書
【補正対象項目名】特許請求の範囲
【補正方法】変更
【補正の内容】
【特許請求の範囲】
【請求項１】
車両に備え付けられる車載器は、保険の利用期間の設定を行えるようになっており、
前記車載器は、当該設定された利用期間に関する情報、並びに、少なくとも車種情報及び利用者情報を、前記車載器の送受信装置からセンタに送信し、
前記センタへの送信に基づいて前記センタで求められた車両保険の保険料に関する情報、及び、当該車両保険を利用するか否かの確認メッセージに関する情報を、前記センタから前記送受信装置で受信し、
前記車載器は、前記車両保険の契約締結を行うように動作する、保険契約の処理方法。
【請求項２】
請求項１に於いて、
前記車載器は、ナビゲーション機能を有しており、旅行日程に合わせた保険利用期間を設定できることを特徴とする保険契約の処理方法。
【請求項３】
車両保険の契約がなされた車両に備え付けられた車載器は、送受信装置から前記車両の制御情報をセンタに送信し、
前記車両の制御情報から、急ブレーキの情報に基づいて算出された車両保険料を、前記車載器は送受信装置で受信し、
前記車載器に備えられた表示部に前記受信した保険料を表示する保険契約の処理方法。
【請求項４】
請求項１又は３に於いて、
前記車載器は、クレジットカードに対して情報を読み書きするカードリーダライタを備えており、
前記車載器は、前記カードリーダライタを用いて、保険料の支払い処理を前記クレジットカードからの引き落としの方式で行うことを特徴とする保険契約の処理方法。
【請求項５】
請求項４に於いて、
前記保険料の支払い処理のタイミングは、前記車両保険の契約が締結された時期、前記自車両の運転終了時期、または、前記利用期間が経過したときであることを特徴とする保険契約の処理方法。
【請求項６】
センタのシステムは、損害保険会社と車両保険契約を締結している各車両の車載器から車両制御情報を受信し、
前記システムは各車両の車載器から受信した車両制御情報に基づいて分析し、前記システムは、分析した情報を、前記損害保険会社の処理装置が前記特定車両の前記車両保険の保険料を計算する為に、前記損害保険会社の処理装置に送信する保険契約の為の処理方法。
【請求項７】
センタのシステムは、複数車両の車載器から車両制御情報をそれぞれ受信し、前記システムは、前記それぞれの車載器から受信した車両制御情報を、前記損害保険会社の処理装置に送信し、
前記センタのシステムから前記損害保険会社の処理装置に送信された情報に基づいて、前記損害保険会社の処理装置で算出された前記車両保険の保険料に関する情報を、前記システムが前記損害保険会社の処理装置から受信し、
前記システムは、関係する車両の車載器に、システムが受信した情報に基づいた送信を行うことを特徴とする保険契約の為の処理方法。
【請求項８】
請求項６又は７に於いて、
センタの前記システムは、データベースを有していて、
前記システムは、前記車両の制御情報に加え、前記車両の位置情報を受信し、当該受信した情報を分析した情報を前記データベースに蓄積し、
前記システムは、前記車両の制御情報および前記車両の位置情報に基づく分析情報を、前記損害保険会社の処理装置の保険料に関する処理の為に、前記損害保険会社の処理装置に送信する保険契約の為の処理方法。
【請求項９】
車両保険契約を締結している特定車両の保険料を算出するため、前記特定車両からセンタで収集した車両制御情報を前記センタで加工した二次情報を、前記センタから損害保険会社で受信し、
受信した前記二次情報に基づいて前記特定車両の保険料を算出し、
当該算出した車両保険の保険料に関する情報を、前記センタを介して、前記損害保険会社から前記特定車両に備えられた送受信装置に送信する保険契約の為の処理方法。
【請求項１０】
請求項９に於いて、
前記車両制御情報は、前記特定車両が備えるセンサ等の出力であり、
前記二次情報は、急ブレーキに関する情報であることを特徴とする保険契約の為の処理方法。
【請求項１１】
請求項９に於いて、
前記センタが収集し加工する情報には、車両位置情報を含み、
前記損害保険会社で前記特定車両の保険料を算出する際、前記特定車両が通過した位置の車両位置情報に基づいて前記保険料を算出することを特徴とする保険契約の為の処理方法。
【請求項１２】
請求項９に於いて、
契約者または契約車にサービスポイントが付与され、
前記契約者または前記契約車が有するポイント、運転時間に関するデータのポイント、通過地点に関するデータのポイント、急操作に関するデータのポイント等のポイントに基づいて保険料請求額としての保険料を算出することを特徴とする保険契約の為の処理方法。
【手続補正２】
【補正対象書類名】明細書
【補正対象項目名】００１４
【補正方法】変更
【補正の内容】
【００１４】
本発明は、車両に備え付けられる車載器は、保険の利用期間の設定を行えるようになっており、前記車載器は、当該設定された利用期間に関する情報、並びに、少なくとも車種情報及び利用者情報を、前記車載器の送受信装置からセンタに送信し、前記センタへの送信に基づいて前記センタで求められた車両保険の保険料に関する情報、及び、当該車両保険を利用するか否かの確認メッセージに関する情報を、前記センタから前記送受信装置で受信し、前記車載器は、前記車両保険の契約締結を行うように動作する、保険契約の処理方法を提供する。
前記車載器は、ナビゲーション機能を有しており、旅行日程に合わせた保険利用期間を設定できる。
【手続補正３】
【補正対象書類名】明細書
【補正対象項目名】００１５
【補正方法】変更
【補正の内容】
【００１５】
本発明は、車両保険の契約がなされた車両に備え付けられた車載器は、送受信装置から前記車両の制御情報をセンタに送信し、前記車両の制御情報から、急ブレーキの情報に基づいて算出された車両保険料を、前記車載器は送受信装置で受信し、前記車載器に備えられた表示部に前記受信した保険料を表示する保険契約の処理方法を提供する。


【手続補正４】
【補正対象書類名】明細書
【補正対象項目名】００１６
【補正方法】変更
【補正の内容】
【００１６】
本発明は、前記車載器は、クレジットカードに対して情報を読み書きするカードリーダライタを備えており、前記車載器は、前記カードリーダライタを用いて、保険料の支払い処理を前記クレジットカードからの引き落としの方式で行う保険契約の処理方法を提供する。


【手続補正５】
【補正対象書類名】明細書
【補正対象項目名】００１７
【補正方法】変更
【補正の内容】
【００１７】
前記保険料の支払い処理のタイミングは、前記車両保険の契約が締結された時期、前記自車両の運転終了時期、または、前記利用期間が経過したときである。


【手続補正６】
【補正対象書類名】明細書
【補正対象項目名】００１８
【補正方法】変更
【補正の内容】
【００１８】
本発明は、センタのシステムは、損害保険会社と車両保険契約を締結している各車両の車載器から車両制御情報を受信し、前記システムは各車両の車載器から受信した車両制御情報に基づいて分析し、前記システムは、分析した情報を、前記損害保険会社の処理装置が前記特定車両の前記車両保険の保険料を計算する為に、前記損害保険会社の処理装置に送信する保険契約の為の処理方法を提供する。


【手続補正７】
【補正対象書類名】明細書
【補正対象項目名】００１９
【補正方法】変更
【補正の内容】
【００１９】
本発明は、センタのシステムは、複数車両の車載器から車両制御情報をそれぞれ受信し、前記システムは、前記それぞれの車載器から受信した車両制御情報を、前記損害保険会社の処理装置に送信し、前記センタのシステムから前記損害保険会社の処理装置に送信された情報に基づいて、前記損害保険会社の処理装置で算出された前記車両保険の保険料に関する情報を、前記システムが前記損害保険会社の処理装置から受信し、前記システムは、関係する車両の車載器に、システムが受信した情報に基づいた送信を行う保険契約の為の処理方法を提供する。


【手続補正８】
【補正対象書類名】明細書
【補正対象項目名】００２０
【補正方法】変更
【補正の内容】
【００２０】
センタの前記システムは、データベースを有していて、前記システムは、前記車両の制御情報に加え、前記車両の位置情報を受信し、当該受信した情報を分析した情報を前記データベースに蓄積し、前記システムは、前記車両の制御情報および前記車両の位置情報に基づく分析情報を、前記損害保険会社の処理装置の保険料に関する処理の為に、前記損害保険会社の処理装置に送信する。


【手続補正９】
【補正対象書類名】明細書
【補正対象項目名】００２１
【補正方法】変更
【補正の内容】
【００２１】
本発明は、車両保険契約を締結している特定車両の保険料を算出するため、前記特定車両からセンタで収集した車両制御情報を前記センタで加工した二次情報を、前記センタから損害保険会社で受信し、受信した前記二次情報に基づいて前記特定車両の保険料を算出し、当該算出した車両保険の保険料に関する情報を、前記センタを介して、前記損害保険会社から前記特定車両に備えられた送受信装置に送信する保険契約の為の処理方法を提供する。


【手続補正１０】
【補正対象書類名】明細書
【補正対象項目名】００２２
【補正方法】変更
【補正の内容】
【００２２】
前記車両制御情報は、前記特定車両が備えるセンサ等の出力であり、前記二次情報は、急ブレーキに関する情報である。


【手続補正１１】
【補正対象書類名】明細書
【補正対象項目名】００２３
【補正方法】変更
【補正の内容】
【００２３】
前記センタが収集し加工する情報には、車両位置情報を含み、前記損害保険会社で前記特定車両の保険料を算出する際、前記特定車両が通過した位置の車両位置情報に基づいて前記保険料を算出する。


【手続補正１２】
【補正対象書類名】明細書
【補正対象項目名】００２４
【補正方法】変更
【補正の内容】
【００２４】
契約者または契約車にサービスポイントが付与され、前記契約者または前記契約車が有するポイント、運転時間に関するデータのポイント、通過地点に関するデータのポイント、急操作に関するデータのポイント等のポイントに基づいて保険料請求額としての保険料を算出する。